(57)【要約】【課題】本発明は給湯装置に関するものであり、貯湯器から出湯される湯をさらに給湯器にて加熱するように接続した場合、貯湯器から出湯されるお湯がある温度以上の場合、温度によっては、給湯器の設定温度以上に温度を上げてしまうというものである。【解決手段】有線式通信ユニット７により有線式給湯器リモコン５の設定温度信号を受け、貯湯器リモコン２の設定温度を変更させ貯湯器１の出湯温度を有線式給湯リモコン５の設定より低い任意の出湯温度に制御させることにより、給湯器４の出湯温度が有線式給湯リモコン５の設定以上の出湯温度になってしまうことを未然に防ぐことができるものである。この有線式通信ユニット７を設けることで貯湯器１および給湯器４を同時に制御する専用の制御手段をもたなくても、いかなる貯湯器と給湯器の組合せにも対応できるものとできる。【選択図】　図１
2004101026.tif 000002
【特許請求の範囲】
【請求項１】
貯湯器と前記貯湯器の出湯温度を設定する貯湯器リモコンと、前記貯湯器リモコンの設定に応じて貯湯器の出湯温度を制御する貯湯器制御手段と、前記貯湯器から出湯される湯（水）の供給を受ける給湯器と、前記給湯器の出湯温度を設定する有線式給湯器リモコンと、前記有線式給湯器リモコンの設定に応じて給湯器の出湯温度を制御する給湯器制御手段と、前記有線式給湯器リモコンの設定温度信号を受け、前記貯湯器リモコンの設定温度を変更させ任意の出湯温度に制御させるよう前記貯湯器制御手段に制御信号を送る有線式通信ユニットとを有する給湯装置。
【請求項２】
前記有線式通信ユニットは貯湯器外部に設置することが可能であることを特徴とする請求項１に記載の給湯装置。
【請求項３】
貯湯器と前記貯湯器の出湯温度を設定する貯湯器リモコンと、前記貯湯器リモコンの設定に応じて貯湯器の出湯温度を制御する貯湯器制御手段と、前記貯湯器から出湯される湯（水）の供給を受ける給湯器と、前記給湯器の出湯温度を設定する無線式給湯器リモコンと、前記無線式給湯器リモコンの設定に応じて給湯器の出湯温度を制御する給湯器制御手段と、前記無線式給湯器リモコンの設定温度信号を受け、前記貯湯器リモコンの設定温度を変更させ任意の出湯温度に制御させるよう前記貯湯器制御手段に制御信号を送る無線式通信ユニットとを有する給湯装置。
【請求項４】
前記無線式通信ユニットは貯湯器外部に設置することが可能であることを特徴とする請求項３に記載の給湯装置。
【請求項５】
前記貯湯器は電気ヒーターや燃料電池・ヒートポンプ・エンジン等の排熱利用を用いた加熱源により加熱することを特徴とする請求項１〜４のいずれか１項に記載の給湯装置。
【請求項６】
前記貯湯器は貯湯タンクと前記貯湯タンクの湯と前記貯湯タンクをバイパスした供給水を混合させる湯水混合手段を設けたことを特徴とする請求項１〜５のいずれか１項に記載の給湯装置。
【発明の詳細な説明】
【０００１】
【発明の属する技術分野】
本発明は、貯湯器および給湯器を有する給湯装置に関するものである。
【０００２】
【従来の技術】
従来この種の給湯装置は、給湯器のリモコンにて貯湯器の出湯湯温を制御する機能は付加されていないものである。
【０００３】
【発明が解決しようとする課題】
しかしながら、前記従来の構成では貯湯器から出湯される湯（水）をさらに給湯器にて加熱するように接続した場合、貯湯器から出湯されるお湯がある温度以上の場合、温度によっては、給湯器の設定温度以上に温度を上げてしまうという課題を有していた。
【０００４】
本発明は、前記従来の課題を解決するもので給湯器の設定温度の湯を提供することを目的とする。
【０００５】
【課題を解決するための手段】
本発明は、上記課題を解決するために、貯湯器と前記貯湯器の出湯温度を設定する貯湯器リモコンと、前記貯湯器リモコンの設定に応じて貯湯器の出湯温度を制御する貯湯器制御手段と、前記貯湯器から出湯される湯（水）の供給を受ける給湯器と、前記給湯器の出湯温度を設定する有線式給湯器リモコンと、前記有線式給湯器リモコンの設定に応じて給湯器の出湯温度を制御する給湯器制御手段と、前記有線式給湯器リモコンの設定温度信号を受け、前記貯湯器リモコンの設定温度を変更させ任意の出湯温度に制御させるよう前記貯湯器制御手段に制御信号を送る有線式通信ユニットとを有する給湯装置である。
【０００６】
上記発明によれば、有線式通信ユニットにより有線式給湯器リモコンの設定温度信号を受け、前記貯湯器リモコンの設定温度を変更させ任意の出湯温度に制御させるよう前記貯湯器制御手段に制御信号を送ることにより、給湯器へ供給されるお湯の温度を任意の低い温度とすることで給湯器の出湯温度が設定以上の出湯温度になってしまうことを未然に防ぐことができるものである。
【０００７】
また、この有線式通信ユニットを設けることで貯湯器および給湯器を同時に制御する専用の制御手段をもたなくても、いかなる貯湯器と給湯器の組合せにも対応できるものとすることが可能となる。
【０００８】
【発明の実施の形態】
本発明の請求項１に記載の発明は貯湯器と前記貯湯器の出湯温度を設定する貯湯器リモコンと、前記貯湯器リモコンの設定に応じて貯湯器の出湯温度を制御する貯湯器制御手段と、前記貯湯器から出湯される湯（水）の供給を受ける給湯器と、前記給湯器の出湯温度を設定する有線式給湯器リモコンと、前記有線式給湯器リモコンの設定に応じて給湯器の出湯温度を制御する給湯器制御手段と、前記有線式給湯器リモコンの設定温度信号を受け、前記貯湯器リモコンの設定温度を変更させ任意の出湯温度に制御させるよう前記貯湯器制御手段に制御信号を送る有線式通信ユニットとを有する給湯装置である。
【０００９】
上記発明によれば有線式通信ユニットにより有線式給湯器リモコンの設定温度信号を受け、前記貯湯器リモコンの設定温度を変更させ任意の出湯温度に制御させるよう前記貯湯器制御手段に制御信号を送ることにより、給湯器へ供給されるお湯の温度を任意の低い温度とすることで給湯器の出湯温度が設定以上の出湯温度になってしまうことを未然に防ぐことができるものである。
【００１０】
また、この有線式通信ユニットを設けることで貯湯器および給湯器を同時に制御する専用の制御手段をもたなくても、いかなる貯湯器と給湯器の組合せにも対応できることが可能となる。
【００１１】
また、今後普及していくと予測されている燃料電池コージェネレーションシステム等の貯湯器を買い足す場合に、従来より使用している既設の給湯器を買い換えることなく、使用でき、使用者の経済性を向上させることが出来る。
【００１２】
本発明の請求項２に記載の発明では前記有線式通信ユニットは貯湯器外部に設置することが可能であることを特徴するとする請求項１に記載の給湯装置である。
【００１３】
有線式通信ユニットを貯湯器より分離設置できるものとすることにより貯湯器内に設置するスペースが無い場合や設置上困難な場合でも容易に通信ユニットを移設できるものである。
【００１４】
本発明の請求項３に記載の発明は貯湯器と前記貯湯器の出湯温度を設定する貯湯器リモコンと、前記貯湯器リモコンの設定に応じて貯湯器の出湯温度を制御する貯湯器制御手段と、前記貯湯器から出湯される湯（水）の供給を受ける給湯器と、前記給湯器の出湯温度を設定する無線式給湯器リモコンと、前記無線式給湯器リモコンの設定に応じて給湯器の出湯温度を制御する給湯器制御手段と、前記無線式給湯器リモコンの設定温度信号を受け、前記貯湯器リモコンの設定温度を変更させ任意の出湯温度に制御させるよう前記貯湯器制御手段に制御信号を送る無線式通信ユニットとを有する給湯装置である。第一の発明と同様のことが言えるとともに、さらには無線式通信ユニットであるため貯湯器と給湯器間を配線することが不要とすることが可能となる。
【００１５】
本発明の請求項４に記載の発明は前記無線式通信ユニットは貯湯器外部に設置することが可能であることを特徴するとする請求項３に記載の給湯装置である。
【００１６】
そして、第２の発明と同様のことが言えるとともに、さらには無線式通信ユニットであるため貯湯器と給湯器間を配線することが不要とすることが可能となる。
【００１７】
本発明の請求項５に記載の発明は前記貯湯器は電気ヒーターや燃料電池・ヒートポンプ・エンジン等の排熱利用を用いた加熱源により加熱することを特徴とする請求項１〜４のいずれか１項に記載の給湯装置である。燃料電池・ヒートポンプ・エンジン等の装置は常に熱が生成される。この熱を貯湯器の加熱源として回収し使用することで省エネルギー化を図り、使用者のエネルギー費用を削減できる。電気ヒーターを用いた場合も夜間電力を使用することでエネルギー費用を削減できる。
【００１８】
本発明の請求項６に記載の発明は前記貯湯器は貯湯タンクと前記貯湯タンクの湯と前記貯湯タンクをバイパスした供給水を混合させる湯水混合手段を設けたことを特徴とする請求項１〜５のいずれか１項に記載の給湯装置である。湯水混合手段を設けることで、貯湯器の出湯温度を供給水温度からそれ以上の任意の温度に設定できるため、給湯器の設定温度以下の湯を給湯器に供給することができ、給湯器で加熱量を制御することで設定温度の湯を給湯器から出湯することができる。
【００１９】
【実施例】
以下、本発明の実施例について図面を用いて説明する。
【００２０】
（実施例１）
図１は本発明の実施例１の給湯装置のブロック図である。図において、１は貯湯器、２は貯湯器リモコン、３は貯湯器制御手段、４は給湯器、５は有線式給湯器リモコン、６は給湯器制御手段、７は有線式通信ユニットである。
【００２１】
次に動作について説明する。１は貯湯器で図示はしていないが貯湯タンクと貯湯タンクの湯と貯湯タンクをバイパスした供給水を混合させる湯水混合手段を有したものである。貯湯器１の出湯温度は貯湯器リモコン２にて設定された温度となるよう貯湯器制御手段３で湯水混合手段、貯湯タンクの加熱を制御する。貯湯器１から出湯される湯（水）の供給を受ける給湯器４の出湯温度は有線式給湯器リモコン５にて設定れた温度となるよう給湯器制御手段６により制御される。
【００２２】
しかしながら、給湯器４がある一定温度以上のお湯の供給を受けた場合、給湯器４の出湯温度は有線式給湯器リモコン５にて設定した以上の温度の出湯となる場合がある。これを防ぐため有線式通信ユニット７は有線式給湯リモコン５の設定温度信号を受け、貯湯器リモコン２の設定温度を変更させ（有線式給湯器リモコンの温度設定より低い）任意の出湯温度に制御させるよう前記貯湯器制御手段３に制御信号を送る。
【００２３】
これにより、給湯器４からの出湯温度は有線式給湯器リモコン５にて設定した以上の温度のお湯を出湯することが無いものとなる。
【００２４】
また、この有線式通信ユニット７を設けることで貯湯器１および給湯器４を同時に制御する専用の制御手段をもたなくても、いかなる貯湯器と給湯器の組合せにも対応できるものとできる。
【００２５】
また、特に、今後普及していくと予測されている燃料電池コージェネレーションシステム等の貯湯器を買い足す場合に、従来より使用している既設の給湯器を買い換えることなく、使用でき、使用者の経済性を向上させることが出来る。
【００２６】
また、湯水混合手段を設けることで、貯湯器１の出湯温度を供給水温度からそれ以上の任意の温度に設定できるため、給湯器４の設定温度以下の湯を給湯器４に供給することができ、給湯器４で加熱量を制御することで設定温度の湯を給湯器４から出湯することができる。
【００２７】
また、図示していないが、貯湯器１は電気ヒーターや燃料電池・ヒートポンプ・エンジン等の排熱利用を用いた加熱源により貯湯タンクを加熱する構成とすることも出来る。燃料電池・ヒートポンプ・エンジン等の装置は常に熱が生成される。この熱を貯湯器１の加熱源として回収し使用することで省エネルギー化を図り、使用者のエネルギー費用を削減できる効果がある。電気ヒーターを用いた場合も夜間電力を使用することでエネルギー費用を削減できる。
【００２８】
（実施例２）
図２は本発明の実施例２の給湯装置のブロック図である。動作は実施例１に同じである。有線式通信ユニット７を貯湯器１から分離設置することが可能とするものであり、貯湯器内に設置するスペースが無い場合や設置上困難な場合でも容易に通信ユニットを移設できる効果がある。
【００２９】
（実施例３）
図３は本発明の実施例３の給湯装置のブロック図である。図において８は無線式給湯リモコンであり、９は無線式通信ユニットである。
【００３０】
本発明は（実施例１）記載のものより有線式給湯リモコンから無線式給湯器リモコン、有線式通信ユニットから無線式通信ユニットに置き換えたものである。
効果として実施例１と同様のことが言えるとともに、さらには無線式通信ユニットであるため貯湯器と給湯器間を配線することが不要とすることが可能となり、施工時等の作業を削減できるものである。
【００３１】
（実施例４）
図４は本発明の実施例４の給湯装置のブロック図である。
【００３２】
本発明は（実施例２）記載のものより有線式給湯リモコンから無線式給湯器リモコン、有線式通信ユニットから無線式通信ユニットに置き換えたものである。
効果として実施例２と同様のことが言えるとともに、さらには無線式通信ユニットであるため貯湯器と給湯器間を配線することが不要とすることが可能となり、施工時等の作業を削減できるものである。
【００３３】
【発明の効果】
以上のように本発明によれば、通信ユニットによって、給湯器がある一定温度以上のお湯の供給を受けないよう、給湯器リモコンの温度設定より低い任意の温度設定となるよう貯湯器リモコンの温度設定を変更させることで、給湯器の出湯温度は給湯器リモコンにて設定した以上の温度の出湯とならないようにすることができる。
【００３４】
また、この通信ユニットを設けることで貯湯器および給湯器を同時に制御する専用の制御手段をもたなくても、いかなる貯湯器と給湯器の組合せにも対応できるものとできる。
【００３５】
また、特に、今後普及していくと予測されている燃料電池コージェネレーションシステム等の貯湯器を買い足す場合に、従来より使用している既設の給湯器を買い換えることなく、使用でき、使用者の経済性を向上させることが出来る。
【図面の簡単な説明】
【図１】本発明の実施例１における給湯装置のブロック図
【図２】本発明の実施例２における給湯装置のブロック図
【図３】本発明の実施例３における給湯装置のブロック図
【図４】本発明の実施例４における給湯装置のブロック図
【符号の説明】
１　貯湯器
２　貯湯器リモコン
３　貯湯器制御手段
４　給湯器
５　有線式給湯器リモコン
６　給湯器制御手段
７　有線式通信ユニット
８　無線式給湯器リモコン
９　無線式通信ユニット
【図１】
2004101026.tif 000003
【図２】
2004101026.tif 000004
【図３】
2004101026.tif 000005
【図４】
2004101026.tif 000006